(57)【要約】【課題】美観性に優れ、前面パネル部での結露の少ない空気調和機を提供すること。【解決手段】空気調和機本体１の前面に開閉可能な前面パネル４を設け、前記本体１の運転停止時には、前記前面パネル４の下端が吹出し口５ｂの上端５ａより下方に位置し、運転時には、前記前面パネル４が前方上方に移動するとともに、前記前面パネル４の下端４ａが、前記吹出し口５ｂの上端５ａより上方に位置するようにして、空気取り入れ用の開口部不用の前面パネルとし、さらに冷風が前記前面パネルに当たらないようにした。【選択図】図２ 
2005147618.tif 000002
【特許請求の範囲】
【請求項１】
熱交換器、ファン、吹出しグリル等の風回路及び吹出し口を具備した空気調和機において、前記空気調和機本体の前面に開閉可能な前面パネルを設け、前記本体の運転停止時には、前記前面パネルの下端が前記吹出し口の上端より下方に位置し、運転時には、前記前面パネルが前方上方に移動するとともに、前記前面パネルの下端が、前記吹出し口の上端より上方に位置することを特徴とする空気調和機。
【請求項２】
本体の運転状態を表示する表示部を前記本体の前面に設けるとともに、その表示部を、閉じた前面パネルの下端より上方で、かつ前記前面パネルが開いた時に前方下方から視認できる位置に配したことを特徴とする、請求項１記載の空気調和機。
【請求項３】
本体と前面パネルを一対の支持具で連結し、前記一対の支持具の少なくとも一方を、一端が本体に、他端が前面パネルにそれぞれ回動自在に軸支された第１の支持板と、一端が前記本体に、他端が前記前面パネルにそれぞれ回動かつ摺動自在に取りつけられた第二の支持板で形成し、さらに前記第１の支持板と前記第２の支持板を回動自在に軸支したことを特徴とする、請求項１〜２のいずれかに記載の空気調和機。
【請求項４】
上部が後方に傾斜された熱交換器と、空気調和機本体の前面部と天面部との三方に囲まれた空間にパネル駆動装置を配設し、本体上部にあるパネル開閉の回動支点となる軸には、一端が前面パネルと回動連結され、他端が前記パネル開閉の回動支点となる軸に固定された支持具と駆動装置と対向するギア部が固定され、かつ前記ギア部が前記パネル駆動装置と連接して配接したことを特徴とする、請求項１〜３のいずれかに記載の空気調和機。
【発明の詳細な説明】
【技術分野】
【０００１】
本発明は空気調和機の構造に関するものである。
【背景技術】
【０００２】
従来、空気吸込口にパネルを設けた空気調和機として、本体前面の下側に、風を吹き出す吹出しグリルを設け、その吹出しグリルの上方に、空気吸込口を開閉する前面パネルを設け、本体に内蔵された開閉装置で、前記前面パネルを前後方向に開閉するものがあった(例えば、特許文献１参照)。
【０００３】
また、他の従来例として、図７に示すように、空気調和機本体１１の前方に前面グリル１２が配設され、その前面グリル１２には、内部の風回路への空気の吸込み口となる桟状の開口部１２ａが複数設けられていた。
【０００４】
１３は、空気調和機本体１１の運転状態を表示する表示部で、風の吹き出口１４に設けられた上下風向変更用羽根１５の上方で、かつ空気調和機本体１１の幅方向の略中央部に配設され、空気調和機本体１１の運転中または運転停止にかかわらず、常時見えるように空気調和機本体１１の外観部に具備されていた（例えば、特許文献２参照）。
【０００５】
また、他の従来例として、空気吸込口にパネルを設けた空気調和機として、手前側に湾曲形状をなした熱交換器の前方にパネル開閉駆動機構を設けたものがあった（例えば、特許文献３参照）。
【特許文献１】特開平０４−０８４０４２号公報
【特許文献２】特開２００３−１５６２２８号公報
【特許文献３】特開２００３−７４８９６号公報
【発明の開示】
【発明が解決しようとする課題】
【０００６】
しかしながら上記のような前面パネルを前後に開閉するものにあっては、前面パネルが吹出しグリルの前方に略水平に移動するため、冷房運転時に、吹出しグリルの上部より吹出される冷風が、前面パネルの下端部に当たり、乱流となり易く、また、その付近で結露が発生し易いという課題があった。
【０００７】
また、図７に示される従来例の場合、前面グリル１２にある空気の吸込み口となる桟状の開口部１２ａが、形状的に凹凸があるため、ほこりが付着し易く、拭き掃除が困難であった。また、空気吸込み量を充分確保するためにある程度の開口面積が不可欠で、デザイン上の制約が多かった。
【０００８】
さらに、表示部１３が、空気調和機本体１１の外観部に設けられ、常時露出しているため、空気調和機本体１１の運転を停止した状態でも、その部分がデザイン上、インパクト性の強い箇所となり、すっきりとした美観性の高いデザインとなりにくかった。
【０００９】
また、手前側に湾曲形状をなした熱交換器の前方にパネル開閉駆動機構を設けた、従来の空気調和機は、本体の奥行き寸法が大きくなり、壁に設置した場合、圧迫感のあるデザインとなり、薄型ですっきりとした美観性の高いデザインとなりにくかった。
【００１０】
本発明は、上記従来の課題を解決するもので、安価な構成で、空気調和機の美観性を高め、さらに、前面パネル下端部での結露の少ない空気調和機を提供することを目的とする
ものである。
【課題を解決するための手段】
【００１１】
上記課題を解決するため本発明は、吹出し口を備えた空気調和機本体の前面に開閉可能な前面パネルを設け、前記本体の運転停止時には、前記前面パネルの下端が前記吹出し口の上端より下方に位置し、運転時には、前記前面パネルが前方上方に移動するとともに、前記前面パネルの下端が、前記吹出し口の上端より上方に位置するようにしたもので、前面パネルと本体との間で空気吸込み口が確保でき、前面パネルが開口部のない美観性の高いデザインなるとともに、表面に桟などの凹凸がないため、前面パネルが汚れにくく、さらに吹出し口より吹出した冷風が前面パネル下端に当りにくいため、結露が防止できる。
【発明の効果】
【００１２】
本発明の空気調和機は、前面パネルを開口部のない美観性の高いデザインにすることができるとともに、桟などの表面の凹凸がないため、汚れにくく、また汚れた場合にも、拭き掃除が容易となる。また、吹出し口より吹出した冷風が前面パネルの下端に当りにくいため、結露も防止できる。また本体の薄型が図られ、美観性の高いデザインにすることができる。
【発明を実施するための最良の形態】
【００１３】
第１の発明は、内部に熱交換器、ファン、吹出しグリル等の風回路及び吹出し口を具備した空気調和機本体の前面に開閉可能な前面パネルを設け、前記本体の運転停止時には、前記前面パネルの下端が前記吹出し口の上端より下方に位置し、運転時には、前記前面パネルが前方上方に移動するとともに、前記前面パネルの下端が、前記吹出し口の上端より上方に位置するようにしたもので、前面パネルと本体との間で空気吸込み口が確保でき、前面パネルが開口部のない美観性の高いデザインなるとともに、表面に桟などの凹凸がないため、前面パネルが汚れにくく、さらに吹出し口より吹出した冷風が前面パネル下端に当りにくいため、結露が防止できる
第２の発明は、本体の運転状態を表示する表示部を前記本体の前面に設けるとともに、その表示部を、閉じた前面パネルの下端より上方で、かつ前記前面パネルが開いた時に前方下方から視認できる位置に配したもので、運転停止時には、表示部が外から見えないようにすることにより、デザイン上の目障りをなくし、空気調和機の美観性を向上させることができる。
【００１４】
第３の発明は、本体と前面パネルを一対の支持具で連結し、前記一対の支持具の少なくとも一方を、一端が本体に、他端が前面パネルにそれぞれ回動自在に軸支された第１の支持板と、一端が前記本体に、他端が前記前面パネルにそれぞれ回動かつ摺動自在に取りつけられた第二の支持板で形成し、さらに前記第１の支持板と前記第２の支持板を回動自在に軸支したもので、前面パネルを前方上方へ移動させる支持具の構造が簡略化され、故障が少なく、安価で、しかも軽量化を図ることができる。
【００１５】
第４の発明は、上部が後方に傾斜された熱交換器と、空気調和機本体の前面部と天面部との三方に囲まれた空間にパネル駆動装置を配設し、本体上部にあるパネル開閉の回動支点となる軸には、一端が前面パネルと回動連結され、他端が前記パネル開閉の回動支点となる軸に固定された支持具と駆動装置と対向するギア部が固定され、かつ前記ギア部が前記パネル駆動装置と連接して配接されることにより、パネルを開閉駆動させつつ、上下方向に移動可能となり、前面パネル下端での結露が防止できるとともに、本体の薄型が図られ、美観性の高いデザインにすることができる。
【００１６】
以下、本発明の実施の形態について、図面を参照しながら説明する。なお、この実施の形態によって本発明が限定されるものではない。
【００１７】
（実施の形態１）
以下に、本発明の第１の実施例を図１、２を用いて説明する。なお、従来例と同一部分については、同一符号、名称を用いてその説明を省略する。
図１は、本発明の第１の実施の形態における空気調和機の室内ユニット本体１の運転が停止している時の横断面図で、図２は運転時の横断面図を示すものである。
【００１８】
図１において、本体１の内部には、熱交換器２、ファン３、吹出しグリル５が配されている。吹出しグリル５に連通するとともに、冷風或いは／及び温風を外部に吹出す吹出し口５ｂには、吹き出される空気の方向を変える上下風向変更用羽根６が設けられている。
【００１９】
本体１の前面には、本体１と、図示しない駆動装置によって回転駆動される支持具７で連結された前面パネル４が配設されている。前面パネル４には、空気取り入れ用の開口部は設けられていない。
【００２０】
図１に示されるように、運転停止時には、駆動装置が、前面パネル４を閉じる方向に支持具７を回動（反時計方向）することにより、前面パネル４が閉じると共に本体１に密接する。その際、前面パネル４の下端４ａは、吹出し口５ｂの上端５ａの下方に位置している。
【００２１】
そして、運転時には、図２に示されるように、駆動装置が、前面パネル４が開く方向に支持具７を回動（時計方向）することにより、前面パネル４が、前方上方に移動して、前面パネル４の下端４ａは、吹出し口５ｂの上端５ａよりＢ分だけ、上方に位置する。
【００２２】
以上のように構成された空気調和機について、以下その動作、作用を説明する。
【００２３】
まず、運転時には、前面パネル４が前方上方に移動し、ファン３の回転により、室内空気は、本体１より前方に位置した前面パネル４と本体１の上方、側方、下方の隙間より吸込まれ、熱交換器２により、冷気や暖気に熱交換され、吹出しグリル５、吹出し口５ｂを通り、上下風向変更用羽根６により、吹出し角度を変更されて、室内に吹出される。
【００２４】
冷房の場合、吹出し口５ｂから吹出される冷風は、前方に障害物などがある場合、それに当たり、乱流となり、結露を発生し易いが、本実施例では、図２に示すように、吹出し口５ｂの上端５ａより、前面パネル４の下端４ａは高さＢ分だけ上方に位置するため、冷風は下端４ａに当たりにくく、結露の発生を防止することができる。
【００２５】
また運転停止時は、図１に示されるように、吹出し口５ｂの上端５ａより、前面パネル４の下端４ａが、高さＡ分だけ下方に位置するため、不織布などが貼付けられた吹出し口５ｂの上端５ａが隠蔽され、美観性を高めることができる。
【００２６】
また、本実施例によれば、前面パネル４に空気取り入れ用の開口部が一切不用になるので、埃が蓄積する事が無く、掃除が容易になり、しかも美観の優れたデザインを施すことができるようになる。
【００２７】
（実施の形態２）
本発明の第２の実施の形態を図３、４を用いて説明する。なお、上記実施例と同一部分については、同一符号、名称を用いてその説明を省略する。
【００２８】
図３は、空気調和機の室内ユニット本体１の横断面図で、開いた状態の前面パネル４が実線で、閉じた状態の前面パネル４が２点鎖線でそれぞれ示されている。
【００２９】
図４は運転停止時の本体１の正面図である。
【００３０】
図３において、吹出しグリル５の水受け皿部（図示せず）の前部には、空気調和機の運転状態を表示する表示部８が配設されている。
【００３１】
そして、上記表示部８は、本体１の運転停止中は見えず、運転中は、前方下方より視認できる位置に取り付けられている。
【００３２】
具体的には、運転停止時に、本体１を前方下方の矢視方向９から見た場合、表示部８の下端８ａは、前面パネル４の下端４ａより高さＣ分だけ上方にあり、前面パネル４により隠蔽されている。また運転時には、本体１を前方下方から見上げた場合（矢視方向９）、表示部８の下端８ａは、前面パネル４の下端４ａより高さＤ分だけ下方に配しているので、表示部８は、前方下方より容易に視認できる。
【００３３】
以上のように、本実施例によれば、図４に示されるように、運転停止時には、表示部８は前面パネル４の内側に隠蔽されるため、空気調和機の美観性を向上させることができる。
【００３４】
（実施の形態３）
次に、本発明の第３の実施の形態を図５、６を用いて説明する。なお、上記実施例と同一部分については、同一符号、名称を用いてその説明を省略する。
【００３５】
図５は、前面パネル４が開いた状態で、前面パネル４を本体１に連結する一対の支持具１２並びにその取り付け部を拡大した図である。
【００３６】
支持具１２は、一端が本体１に、他端が前面パネル４にそれぞれ回動自在に軸支された軸１４ａを備えた第１の支持板１４と、一端が本体１に設けた溝状又は長孔状の受部Ａ１ｂに、他端が前面パネル４に設けた溝状又は長孔状の受部Ｂ４ｂにそれぞれ回動かつ摺動自在に取り付けられた軸１５ａを備えた第２の支持板１５からなり、さらに第１の支持板１４と第２の支持板１５は、略中央部で軸１３で回動自在に連結されている。
【００３７】
１１ａは、第１の支持板１４を一体的に回動させるためのギアＡで、ギアＢ１１ｂを介して駆動装置１１により、回転駆動されるようになっている。
【００３８】
上記構成において、図６のように、運転停止時には、駆動装置１１によって回転駆動されるギヤＡ，Ｂ１１ａ、１１ｂにより、第１の支持板１４が、反時計方向に回転し、第２の支持板１５の両端にある軸１５ａが回動しながら摺動して、上下方向でそれぞれ離れるように移動して第１の支持板１４と第２の支持板１５が重なるようになり、前面パネル４が本体１に密接させることができる。
【００３９】
また、運転時には、駆動装置１１によりギアＢ１１ｂ、ギヤＡ１１ａを介して、第１の支持板１４を時計方向に回転させると、第２の支持板１５の両端にある軸１５ａが上下方向で近づくように移動して、図５に示されるように、第１、第２の支持板１４、１５が開く状態になる。
【００４０】
この時、第１の支持板１４の本体１側の軸１４ａの回転中心は固定されているので、前面パネル４は本体１より前方上方に移動させることができる。
このように本実施例によれば、支持具１２の構造が２部品からなる簡単なものとなり、コストを低減できる。
【００４１】
なお、上記実施例において、第２の支持板１５の両端に設けた軸を、前面パネル１４と本体１側に設けた溝或いは長孔状の受部Ｂ、Ａで受けたが、逆の構成、すなわち第２の支持板１５の両端に溝或いは長孔状の受部Ｂ、Ａを設け、前面パネル１４と本体１側に軸を設けても、同様の効果が得られることは言うまでも無い。
【００４２】
（実施の形態４）
次に、本発明の第４の実施の形態を図５、６を用いて説明する。なお、上記実施例と同一部分については、同一符号、名称を用いてその説明を省略する。
【００４３】
駆動装置１１は、本体１の前面部および天面部の内側で、上方が後方に傾斜された熱交換器に係合されている。
【００４４】
支持具１２は、一端が本体１に、他端が前面パネル４にそれぞれ回動自在に軸支された軸１４ａを備えた第１の支持板１４と、一端が本体１に設けた溝状又は長孔状の受部Ａ１ｂに、他端が前面パネル４に設けた溝状又は長孔状の受部Ｂ４ｂにそれぞれ回動かつ摺動自在に取り付けられた軸１５ａを備えた第２の支持板１５からなり、さらに第１の支持板１４と第２の支持板１５は、略中央部で軸１３で回動自在に連結されている。
【００４５】
１１ａは、第１の支持板１４を一体的に回動させるためのギアＡで、ギアＢ１１ｂを介して駆動装置１１により、回転駆動されるようになっている。
【００４６】
上記構成において、駆動装置１１は、熱交換器のほぼ最高部と最前部より内側に配設され、軸１４ａを駆動装置の略上方に配設されるため、運転時に、ギアＢ１１ｂが回動されると、まず連接するギアＡ１１ａに駆動が伝動され、軸１４aを回動させ、さらに支持板１４を時計方向に回動させて、パネル４を上方に移動できる。このように部品を配置することにより、駆動機構を小型化でき、本体１の薄型化が図れ、すっきりとした美観性の高いデザインにすることができる。
【産業上の利用可能性】
【００４７】
以上のように、本発明にかかる空気調和機は、前面パネルを開口部のない美観性の高いデザインにすることができるとともに、桟などの表面の凹凸がないため、汚れにくく、また汚れた場合にも、拭き掃除が容易となり、また、吹出し口より吹出した冷風が前面パネルの下端に当りにくいため、結露も防止が可能となるので、高いインテリア性を求める住宅等の用途にも適用できる。
【図面の簡単な説明】
【００４８】
【図１】本発明の実施の形態１における空気調和機の運転停止時の横断面図
【図２】同空気調和機の運転時の横断面図
【図３】本発明の実施の形態２における空気調和機の横断面図
【図４】同空気調和機の運転停止時の正面図
【図５】本発明の実施の形態３における空気調和機の支持具の拡大図
【図６】同空気調和機の運転停止時の横断面図
【図７】従来の空気調和機の正面図
【符号の説明】
【００４９】
１  本体
４  前面パネル
４ａ  下端
５  吹出しグリル
５ａ  上端
５ｂ  吹出し口
８  表示部
１１  駆動装置
１２  支持具
１４  第１の支持板
１５  第２の支持板
【図１】
2005147618.tif 000003
【図２】
2005147618.tif 000004
【図３】
2005147618.tif 000005
【図４】
2005147618.tif 000006
【図５】
2005147618.tif 000007
【図６】
2005147618.tif 000008
【図７】
2005147618.tif 000009